(57)【要約】  回転位置センサの温度上昇が抑制される回転電機を提供する。内燃機関用回転電機は、ステータ３１と、センサユニット４１とを有する。センサユニット４１は、センサ４３ｄを収容するカバー５３ｄを有する。カバー５３ｄは、ステータ３１と接触する接触部６２と、ステータ３１と接触しない非接触部６３とを備える。非接触部６３とステータ３１との間には、隙間６４が区画形成されている。センサ４３ｄは、非接触部６３の中に収容されている。隙間６４は、センサ４３ｄの両側に広く延びている。センサユニット４１は、接触部６１だけを有するカバー５３ａ、５３ｂ、５３ｃを備えていてもよい。隙間６４は、空気による断熱層を提供する。これにより、ステータ３１とカバー５３との間の熱移動が抑制される。隙間６４に導入される空気は、放熱を促進する。
2016181659.tif 000002
【特許請求の範囲】
【請求項１】
内燃機関（１２）に連動する回転電機（１０）のロータ（２１）に設けられた磁石（２３）の磁束を検出することにより前記ロータの回転位置を示す電気信号を出力する内燃機関用回転位置検出装置において、
前記回転電機のステータ（３１）に設けられた２つの磁極部分（３２ａ、Ｂ３１）の間に配置され、前記磁束を検出するセンサ（４３）と、
前記センサを２つの前記磁極部分の間に配置し、保持するための保持部材であって、前記ステータに接触して位置づけられる接触部（６２、６７、３６７、４６７、５６７、６６１、７７１、８６２、９７２、Ａ６２、Ｂ７５、Ｃ７６、Ｃ７７）、および前記ステータから離れて位置づけられる離間部（６３、５７、６６８、７６３、８６３、９６３、Ａ６３、Ｄ６３、Ｆ６３）を有する保持部材（５２、５３、５６、５７）とを備える内燃機関用回転位置検出装置。
【請求項２】
前記離間部は、空気が導入される隙間（６４、２６４、６６９、９６４、Ａ６４、Ｄ７８、Ｇ７８）を介して前記ステータに対向する部位である請求項１に記載の内燃機関用回転位置検出装置。
【請求項３】
前記保持部材は、前記センサを収容し、前記ステータの軸方向に沿って前記ステータの端面から、２つの前記磁極部分の間に延びるように配置されるカバー（５３）を備え、
前記カバーは、
前記ステータの周方向に関して前記ステータと接触して位置づけられる前記接触部と、
前記ステータの周方向および／または軸方向に関して前記ステータから離れて位置づけられる前記離間部（６３、５７、６６８、７６３、８６３、９６３、Ａ６３、Ｄ６３、Ｆ６３）とを有する請求項２に記載の内燃機関用回転位置検出装置。
【請求項４】
前記カバーは、前記離間部（Ｄ６３、Ｆ６３）において、前記ステータの軸方向に関して前記ステータから離れて位置づけられ、
前記カバーは、２つの前記磁極部分の間において前記ステータの軸方向に関して前記磁極部分と当接する端面（Ｂ７５）を有する請求項３に記載の内燃機関用回転位置検出装置。
【請求項５】
前記カバーは、
２つの前記磁極部分に接触する幅（Ｗ６２）をもつ幅広部（６２、６６１、７７１、８６２、９７２）と、
前記幅広部より細い幅（Ｗ６３）をもち、２つの前記磁極部分から離れて位置づけられる幅狭部（６３、６６８、７６３、８６３、９６３、Ｄ６３）とを有する請求項３または請求項４に記載の内燃機関用回転位置検出装置。
【請求項６】
前記カバーは、前記ステータの径方向内側および／または径方向外側に関して、前記ステータと嵌り合う前記接触部（６７、３６７、４６７、Ｃ７７）を有する請求項３から請求項５のいずれかに記載の内燃機関用回転位置検出装置。
【請求項７】
さらに、前記保持部材は、
前記ステータの端面に配置され、前記センサに接続される電気回路部品を収容する容器であって、当該容器の底から前記カバーが延び出している容器（５２）と、
前記容器の底と前記カバーとの間に張り渡され、前記ステータから離れて位置づけられるリブ（５７）とを備える請求項３から請求項６のいずれかに記載の内燃機関用回転位置検出装置。
【請求項８】
前記保持部材は、前記離間部に隣接するように前記センサを収容している請求項１から請求項７のいずれかに記載の内燃機関用回転位置検出装置。
【請求項９】
前記センサを含む複数のセンサと、前記保持部材を含む複数の保持部材とを備え、
複数の前記保持部材のうちの少なくともひとつが前記離間部を有する請求項１から請求項８のいずれかに記載の内燃機関用回転位置検出装置。
【請求項１０】
請求項１から請求項８のいずれかに記載の内燃機関用回転位置検出装置と、
前記回転電機の前記ロータと、
前記回転電機の前記ステータであって、前記離間部に対応して設けられた切欠き（Ａ７３、Ｄ７３、Ｅ７３）を有する前記ステータ（３１）とを備える内燃機関用回転電機。
【発明の詳細な説明】
【関連出願の相互参照】
【０００１】
この出願は、２０１５年５月１４日に出願された日本特許出願２０１５−９９４０８号を基礎出願とするものであり、基礎出願の開示内容は参照によってこの出願に組み込まれている。
【技術分野】
【０００２】
この開示は、内燃機関の回転位置を検出するための内燃機関用回転位置検出装置および内燃機関用回転電機に関する。
【背景技術】
【０００３】
特許文献１−４は、内燃機関に連結される内燃機関用回転電機を開示する。これらの回転電機は、発電機および／または電動機（スタータ）として機能することができる。特許文献１−４は、ステータの磁極の間に配置されたセンサを開示する。従来技術として列挙された先行技術文献の記載内容は、この明細書に記載された技術的要素の説明として、参照によって導入ないし援用される。
【先行技術文献】
【特許文献】
【０００４】
【特許文献１】特開２０１３−２７２５２号公報
【特許文献２】特開２０１３−２３３０３０号公報
【特許文献３】特許第５０６４２７９号公報
【特許文献４】特許第５０９７６５４号公報
【発明の概要】
【発明が解決しようとする課題】
【０００５】
従来技術の構成では、電気的な部品であるセンサが、ステータから熱的な影響を受けやすい。例えば、センサを収容するための樹脂製のカバーは、金属製の磁極に接触して配置されているから、磁極の熱がカバーを通して移動し、センサの温度を上昇させることがある。センサにおける過剰な温度上昇は回避することが望ましい。【０００６】
上述の観点において、または言及されていない他の観点において、内燃機関用回転位置検出装置および内燃機関用回転電機にはさらなる改良が求められている。【０００７】
ひとつの開示に課されたひとつの目的は、センサの温度上昇を抑制することができる内燃機関用回転位置検出装置および内燃機関用回転電機を提供することである。
【課題を解決するための手段】
【０００８】
この明細書に開示された複数の態様は、それぞれの目的を達成するために、互いに異なる技術的手段を採用する。請求の範囲およびこの項に記載した括弧内の符号は、後述する実施形態の部分との対応関係を示すものであって、技術的範囲を限定するものではない。【０００９】
ひとつの態様により、内燃機関用回転位置検出装置が提供される。内燃機関用回転位置検出装置は、内燃機関（１２）に連動する回転電機（１０）のロータ（２１）に設けられた磁石（２３）の磁束を検出することによりロータの回転位置を示す電気信号を出力する。内燃機関用回転位置検出装置は、回転電機のステータ（３１）に設けられた２つの磁極部分（３２ａ、Ｂ３１）の間に配置され、磁束を検出するセンサ（４３）と、センサを２つの磁極部分の間に配置し、保持するための保持部材であって、ステータに接触して位置づけられる接触部（６２、６７、３６７、４６７、５６７、６６１、７７１、８６２、９７２、Ａ６２、Ｂ７５、Ｃ７６、Ｃ７７）、およびステータから離れて位置づけられる離間部（６３、５７、６６８、７６３、８６３、９６３、Ａ６３、Ｄ６３、Ｆ６３）を有する保持部材（５２、５３、５６、５７）とを備える。【００１０】
保持部材は、接触部と離間部とを有する。保持部材は、接触部がステータに接触することによって規定の位置に位置付けられる。離間部は、ステータと保持部材との直接的な接触面積を抑制する。離間部は、ステータから保持部材への熱移動を抑制する。これにより、センサの温度上昇が抑制される。【００１１】
他のひとつの態様において、離間部は、空気が導入される隙間（６４、２６４、６６９、９６４、Ａ６４、Ｄ７８、Ｇ７８）を介してステータに対向する部位であってもよい。空気は熱移動の抑制、および／または放熱に貢献する。【００１２】
他のひとつの態様において、保持部材は、センサを収容し、ステータの軸方向に沿ってステータの端面から、２つの磁極部分の間に延びるように配置されるカバー（５３）を備え、カバーは、ステータの周方向に関してステータと接触して位置づけられる接触部と、ステータの周方向および／または軸方向に関してステータから離れて位置づけられる離間部（６３、５７、６６８、７６３、８６３、９６３、Ａ６３、Ｄ６３、Ｆ６３）とを有してもよい。センサを収容するカバーにおいて熱移動が抑制される。【００１３】
ひとつの態様により、内燃機関用回転電機が提供される。内燃機関用回転電機は、内燃機関用回転位置検出装置と、回転電機のロータと、回転電機のステータであって、離間部に対応して設けられた切欠き（Ａ７３、Ｄ７３、Ｅ７３）を有するステータ（３１）とを備える。保持部材の離間部とステータとの離れた位置関係が、ステータに設けられた切欠きによって提供される。
【図面の簡単な説明】
【００１４】
【図１】第１実施形態に係る内燃機関用回転電機の断面図である。
【図２】第１実施形態のステータとセンサユニットを示す平面図である。
【図３】第１実施形態のステータとセンサユニットを示す正面図である。
【図４】第１実施形態のステータとセンサユニットを示す底面図である。
【図５】第１実施形態のステータとセンサユニットを示す部分断面図である。
【図６】第１実施形態のステータとカバーを示す拡大断面図である。
【図７】第１実施形態のステータとカバーを示す拡大断面図である。
【図８】第２実施形態のステータとカバーを示す拡大断面図である。
【図９】第３実施形態のステータとカバーを示す拡大断面図である。
【図１０】第４実施形態のステータとカバーを示す拡大断面図である。
【図１１】第５実施形態のステータとカバーを示す拡大断面図である。
【図１２】第６実施形態のステータとセンサユニットを示す正面図である。
【図１３】第７実施形態のステータとカバーを示す部分的な正面図である。
【図１４】第８実施形態のステータとカバーを示す部分的な正面図である。
【図１５】第９実施形態のステータとカバーを示す部分的な正面図である。
【図１６】第１０実施形態のステータとカバーを示す部分的な正面図である。
【図１７】第１１実施形態のステータとカバーを示す部分的な正面図である。
【図１８】第１２実施形態のステータとカバーを示す部分的な正面図である。
【図１９】第１３実施形態のステータとカバーを示す部分的な正面図である。
【図２０】第１４実施形態のステータとカバーを示す部分的な正面図である。
【図２１】第１５実施形態のステータとカバーを示す部分的な正面図である。
【図２２】第１６実施形態のステータとカバーを示す部分的な正面図である。
【発明を実施するための形態】
【００１５】
図面を参照しながら、複数の実施形態を説明する。複数の実施形態において、機能的におよび／または構造的に対応する部分および／または関連付けられる部分には同一の参照符号、または百以上の位が異なる参照符号が付される場合がある。対応する部分および／または関連付けられる部分については、他の実施形態の説明を参照することができる。
【００１６】
（第１実施形態）
図１は、内燃機関用回転電機１０（以下、単に回転電機という）の断面図である。図２は、ステータ３１とセンサユニット４１とを含む部分的な平面図である。図１は、図２に図示されたＩ−Ｉ線における断面である。図３はステータ３１の径方向外側面を示す。図１−図３を参照することによりステータ３１とセンサユニット４１とが詳細に理解される。
【００１７】
図１において、回転電機１０は、発電電動機、または交流発電機スタータ（AC Generator Starter）とも呼ばれる。回転電機１０は、インバータ回路（ＩＮＶ）と制御装置（ＥＣＵ）とを含む電気回路１１と電気的に接続されている。電気回路１１は、三相の電力変換回路を提供する。回転電機１０の用途の一例は、車両用の内燃機関１２によって駆動される発電電動機である。回転電機１０は、例えば、二輪車に利用することができる。
【００１８】
電気回路１１は、回転電機１０が発電機として機能するとき、出力される交流電力を整流し、バッテリを含む電気負荷に電力を供給する整流回路を提供する。電気回路１１は、回転電機１０から供給される点火制御用の基準位置信号を受信する信号処理回路を提供する。電気回路１１は、点火制御を実行する点火制御器を提供してもよい。電気回路１１は、回転電機１０を電動機として機能させる駆動回路を提供する。電気回路１１は、回転電機１０を電動機として機能させるための回転位置信号を回転電機１０から受信する。電気回路１１は、検出された回転位置に応じて回転電機１０への通電を制御することにより回転電機１０を電動機として機能させる。
【００１９】
回転電機１０は、内燃機関１２に組み付けられている。内燃機関１２は、ボディ１３と、ボディ１３に回転可能に支持され、内燃機関１２と連動して回転する回転軸１４とを有する。回転電機１０は、ボディ１３と回転軸１４とに組み付けられている。ボディ１３は、内燃機関１２のクランクケース、ミッションケースなどの構造体である。回転軸１４は、内燃機関１２のクランク軸、またはクランク軸と連動する回転軸である。回転軸１４は、内燃機関１２が運転されることによって回転し、回転電機１０を発電機として機能させるように駆動する。回転軸１４は、回転電機１０が電動機として機能するとき、回転電機１０の回転によって内燃機関１２を始動可能な回転軸である。また、回転軸１４は、回転電機１０が電動機として機能するとき、回転電機１０の回転によって内燃機関１２の回転を支援（アシスト）することができる回転軸である。
【００２０】
回転電機１０は、ロータ２１と、ステータ３１と、センサユニット４１とを有する。ロータ２１は、界磁子である。ステータ３１は、電機子である。ロータ２１は、全体がカップ状である。ロータ２１は、その開口端をボディ１３に向けて位置付けられる。ロータ２１は、回転軸１４の端部に固定される。ロータ２１と回転軸１４とは、キー嵌合などの回転方向の位置決め機構を介して連結されている。ロータ２１は、固定ボルト２５によって回転軸１４に締め付けられることによって固定されている。ロータ２１は、回転軸１４とともに回転する。ロータ２１は、永久磁石によって界磁を提供する。
【００２１】
ロータ２１は、カップ状のロータコア２２を有する。ロータコア２２は、内燃機関１２の回転軸１４に連結される。ロータコア２２は、回転軸１４に固定される内筒と、内筒の径方向外側に位置する外筒と、内筒と外筒との間に拡がる環状の底板とを有する。ロータコア２２は、後述する永久磁石のためのヨークを提供する。ロータコア２２は、磁性金属製である。
【００２２】
ロータ２１は、ロータコア２２の内面に配置された永久磁石２３を有する。永久磁石２３は、外筒の内側に固定されている。永久磁石２３は、径方向内側に配置された保持カップ２４によって軸方向および径方向に関して固定されている。保持カップ２４は、薄い非磁性金属製である。保持カップ２４は、ロータコア２２に固定されている。
【００２３】
永久磁石２３は、複数のセグメントを有する。それぞれのセグメントは、部分円筒状である。永久磁石２３は、その内側に、複数のＮ極と複数のＳ極とを提供する。永久磁石２３は、少なくとも界磁を提供する。永久磁石２３は、１２個のセグメントによって、６対のＮ極とＳ極、すなわち１２極の界磁を提供する。磁極の数は、他の数でもよい。永久磁石２３は、点火制御のための基準位置信号を提供するための部分的な特殊磁極を提供する。特殊磁極は、界磁のための磁極配列とは異なる部分的な磁極によって提供される。
【００２４】
ステータ３１は、環状の部材である。ステータ３１は、ロータ２１とボディ１３との間に配置されている。ステータ３１は、回転軸１４とロータコア２２の内筒とを受け入れることができる貫通穴３２ｃを有する。ステータ３１は、ロータ２１の内面とギャップを介して対向する外周面を有する。外周面には、複数の磁極３２ａが配置されている。ステータ３１は、例えば、１８個の磁極３２ａを有する。磁極３２ａの数は、他の数でもよい。これら磁極３２ａは、ロータ２１の界磁と対向して配置されている。ステータ３１は、電機子巻線を有する。ステータ３１は、多相の電機子巻線を有する。ステータ３１は、ボディ１３に固定される。ステータ３１は、複数の磁極３２ａと、複数の三相巻線とを有する三相多極ステータである。
【００２５】
ステータ３１は、ステータコア３２を有する。ステータコア３２は、内燃機関１２のボディ１３に固定されることによってロータ２１の内側に配置される。ステータコア３２は、永久磁石２３と対向する複数の磁極３２ａを径方向外側に形成する。ステータコア３２は、複数の磁極３２ａを形成するように所定の形状に成形された電磁鋼板を積層することにより形成されている。ステータコア３２は、永久磁石２３の内面と対向する複数の磁極３２ａを提供する。ステータコア３２の複数の磁極３２ａの間には、隙間３２ｂが設けられている。
【００２６】
ステータ３１は、ステータコア３２に巻回されたステータコイル３３を有する。ステータコイル３３は、電機子巻線を提供する。ステータコイル３３は、三相巻線である。ステータコイル３３は、ロータ２１およびステータ３１を発電機または電動機として選択的に機能させることができる。
【００２７】
ステータ３１とボディ１３とは、固定ボルト３４を介して連結されている。ステータ３１は、複数の固定ボルト３４によってボディ１３に締め付けられることによって固定されている。ステータ３１は、ボディ１３から延び出すボス部１３ａに固定されている。ボス部１３ａは、筒状の部分である。ボス部１３ａは、ボディ１３と一体の金属製の部材である。
【００２８】
ステータコア３２とステータコイル３３との間には絶縁材料製のインシュレータ３５が配置されている。インシュレータ３５は、樹脂製である。インシュレータ３５は、ボビンとも呼ばれる。インシュレータ３５の一部は、磁極３２ａに隣接して位置づけられることによって、ボビンのフランジ部を提供する。インシュレータ３５の一部は、磁極３２ａの軸方向における両側に配置されている。以下の説明では、多くの場合、インシュレータ３５は、ボビンのフランジ部を指す。
【００２９】
図２に図示されるように、ステータコア３２は、回転軸１４およびロータコア２２の内筒を受け入れるための貫通穴３２ｃを区画形成している。さらに、ステータコア３２は、複数の固定ボルト３４を受け入れるための複数の貫通穴３２ｄを有する。これら貫通穴３２ｄは、ステータコア３２の周方向に関する位置を規定するために貢献する。ステータコア３２は、センサユニット４１を固定するための固定ボルト４４を受け入れるための貫通穴を有する。
【００３０】
センサユニット４１は、内燃機関用回転位置検出装置を提供する。センサユニット４１は、内燃機関１２に連動する回転電機１０に設けられている。センサユニット４１は、回転電機１０のステータコア３２に設けられている。センサユニット４１は、ロータ２１に設けられた永久磁石２３の磁束を検出することによりロータ２１の回転位置を示す電気信号を出力する。
【００３１】
センサユニット４１は、ステータ３１に固定される。センサユニット４１は、ステータコア３２とボディ１３との間に配置されている。センサユニット４１は、ステータコア３２の一端面に固定されている。センサユニット４１は、ロータ２１に設けられた永久磁石２３が供給する磁束を検出することにより、ロータ２１の回転位置を検出する。センサユニット４１は、複数の回転位置センサ４３（以下、単にセンサという）を有する。複数のセンサ４３は、隣接する２つの磁極部分の間に配置されている。磁極部分は、主として磁極３２ａによって提供される。磁極部分は、磁極３２ａ、ステータコイル３３、およびインシュレータ３５を含む場合がある。複数のセンサ４３は、永久磁石２３の磁束変化を検出することによりロータ２１の回転位置を検出する。複数のセンサ４３は、ロータ２１の回転軸に関して周方向に互いに離れて配置されている。
【００３２】
永久磁石２３が提供する特殊磁極の位置によって点火制御のための基準位置が示される。ロータ２１の回転位置は、回転軸１４の回転位置でもある。よって、ロータ２１の回転位置を検出することにより、点火制御のための基準位置信号を得ることができる。複数のセンサ４３の少なくともひとつは、特殊磁極に反応することにより、点火制御のための信号を出力する。この実施形態では、ひとつのセンサ４３が点火制御用のセンサを提供する。この結果、ステータ３１は、ロータ２１が所定の回転位置にあるときに点火制御用の信号を出力するためのセンサを備える。
【００３３】
永久磁石２３が提供する界磁の回転方向の位置によってロータ２１の回転位置が示される。よって、ロータ２１の回転位置を検出し、検出された回転位置に応じて電機子巻線への通電を制御することにより、回転電機１０を電動機として機能させることができる。複数のセンサ４３の少なくともひとつは、回転電機１０を少なくとも電動機として機能させるためのロータ２１の回転位置を検出する。この回転電機１０は、発電機および電動機として機能することができ、それらのいずれかとして選択的に機能させられる。
【００３４】
センサユニット４１は、電気回路部品４２を収容する。電気回路部品４２は、基板と、基板に実装された電気素子、および電線などを含む。センサユニット４１は、センサ４３を収容する。センサユニット４１は、ケース５１を有する。
【００３５】
ケース５１は、樹脂材料製である。ケース５１は、部分的に金属部分をもつことができる。ケース５１は、電気回路部品４２とセンサ４３とを収容し、保持する。センサ４３は、電気回路部品４２と接続される。ケース５１は、多角形筒、例えば台形筒の断面に相当する形状をもち、ステータ３１の径方向外側縁におおよそ対応して延びる外縁をもつ。ケース５１は、電気回路部品４２を収容するための容器５２を有する。容器５２は樹脂材料製である。容器５２は、ボディ１３に対向する面が開口した箱状である。容器５２は、ステータコア３２側に面する底面と、ボディ１３に対向する開口部と、底面と開口部とを囲む側壁とを有する。電気回路部品４２は、容器５２内に収容され、固定されている。
【００３６】
ケース５１は、少なくともひとつのセンサ４３を収容し、直接的にまたは間接的に支持するための少なくともひとつのカバー５３を有する。カバー５３は、センサ４３を２つの磁極部分の間に配置し、保持するための保持部材である。カバー５３は、容器５２、電気回路部品４２、および後述の封止樹脂５６を介して間接的にセンサ４３を保持する。カバー５３は、センサ４３に直接的に接触することによって、センサ４３を保持してもよい。センサ４３は、カバー５３内の所定位置に固定されている。カバー５３は、容器５２の底面から延び出すように形成された有底筒状の部材である。カバー５３は、ケース５１の径方向外側に設けられている。カバー５３は、２つの磁極３２ａの間の隙間３２ｂに挿入される。カバー５３は、ステータ３１の軸方向に沿ってステータ３１の端面から、２つの磁極部分の間に延びるように配置される。
【００３７】
カバー５３は、ケース５１の底面に設けられた基部と、基部から延び出す先端部とを有する。先端部は、基部より細い。基部は隙間３２ｂより広い幅を有する。基部と先端部との間には、段部が形成されている。段部は、ステータコア３２の端面および／またはインシュレータ３５に接触する。これにより、隙間３２ｂ内への先端部の挿入量が規定される。
【００３８】
カバー５３の内部は、容器５２の内部に連通している。センサユニット４１は、複数のカバー５３を有する。カバー５３は、容器５２から延び出す指状、または舌状と呼びうる形状である。カバー５３は、センサ４３のための鞘とも呼ぶことができる。複数のカバー５３は、点火制御のための基準位置検出用のセンサのためのひとつのカバー５３と、モータ制御のためのセンサのための３つのカバー５３とを有する。
【００３９】
それぞれのカバー５３内には、ひとつのセンサ４３が収容される。センサ４３は、永久磁石２３が供給する磁束を検出する。センサ４３は、ホールセンサ、ＭＲＥセンサなどによって提供される。この実施形態は、点火制御のためのひとつのセンサと、モータ制御のための３つのセンサとを有する。センサ４３は、カバー５３内の空洞に配置されたセンサターミナルによって電気回路部品４２と電気的に接続される。センサターミナルは、センサ４３を提供するパッケージから延び出すリード線、またはカバー５３内に配置された基板（プリント基板、またはフレキシブル基板）によって提供される。カバー５３内に配置された基板上にセンサ４３と電気回路部品４２の一部とが実装されてもよい。この場合にも、カバー５３は、センサ４３を収容する。この場合にも、容器５２および／またはカバー５３は、基板を介してセンサ４３を直接的にまたは間接的に保持する保持部材である。
【００４０】
この実施形態における点火制御およびモータ制御のための永久磁石２３に関連する細部、および複数のセンサ４３に関連する細部については、特許文献として列挙した特開２０１３−２３３０３０号公報、特開２０１３−２７２５２号公報、または特許第５０６４２７９号に記載の内容を援用することができ、同記載の内容は参照により引用されている。
【００４１】
ケース５１は、締付部５４を有する。締付部５４は、回転電機１０の径方向に関して容器５２より径方向内側に設けられている。容器５２と締付部５４との間には、それらの間を連結するための連結部５５が設けられている。固定ボルト４４は、ステータコア３２のボディ１３と反対側の面からステータコア３２を貫通して配置されている。固定ボルト４４のステータコア３２から突出する先端部は、締付部５４の雌ねじ部分に螺合される。これにより、センサユニット４１は、ステータコア３２に固定される。容器５２内は、保護用の封止樹脂５６によって満たされている。封止樹脂５６は電気回路部品４２を保護するためのポッティング樹脂である。
【００４２】
センサユニット４１は、センサ４３から出力される信号を外部に取り出すための外部接続用の配線１１ａを有する。回転電機１０は、ステータコイル３３と電気回路１１とを接続する複数の電力線１１ｂを有する。電力線１１ｂは、回転電機１０が発電機として機能するとき、ステータコイル３３に誘導される電力を電気回路１１に供給する。電力線１１ｂは、回転電機１０が電動機として機能するとき、ステータコイル３３を励磁するための電力を電気回路１１からステータコイル３３へ供給する。
【００４３】
図３に図示されるように、センサユニット４１は、複数のカバー５３ａ、５３ｂ、５３ｃ、５３ｄを有する。カバー５３ｄは、カバー５３ａ、５３ｂ、５３ｃより長い。カバー５３ｄは、複数のカバー５３ａ、５３ｂ、５３ｃ、５３ｄの中で最も長い。カバー５３ｄは、ステータ３１の端面から、最も深く差し込まれて配置される。カバー５３ｄは、ステータ３１の軸方向の厚さの中央に到達している。カバー５３ａ、５３ｂ、５３ｃは、ステータ３１の軸方向の中央には到達しない。カバー５３ｄは、センサ４３ｄを、センサ４３ａ、４３ｂ、４３ｃとは異なる軸方向位置に設置する。カバー５３ａ、５３ｂ、５３ｃは、モータ制御のためのセンサ４３ａ、４３ｂ、４３ｃを収容する。カバー５３ｄは、点火制御のためのセンサ４３ｄを収容する。カバー５３ａ、５３ｂ、５３ｃは、第１カバー、または短カバーとも呼ばれる。カバー５３ｄは、第２カバー、または長カバーとも呼ばれる。
【００４４】
図３に図示されるように、カバー５３ａ、５３ｂ、５３ｃは、磁極３２ａ、インシュレータ３５、およびステータコイル３３を含むステータ３１が区画形成する隙間３２ｂに挿入可能な棒状である。カバー５３ａ、５３ｂ、５３ｃは、その先端に、ステータ３１と接触しない先端部を有している。先端部は台形である。カバー５３ａ、５３ｂ、５３ｃは、ステータ３１と周方向に関して対向する２つの側面を有する。２つの側面は、ステータ３１と接触している。
【００４５】
カバー５３ａ、５３ｂ、５３ｃにおけるステータ３１と接触する部分は、接触部６１と呼ばれる。接触部６１は、ステータ３１の周方向に関して、ステータ３１と接触して、特に磁極部分と接触して位置づけられる。接触部６１は、幅広部とも呼ばれる。接触部６１は、軸方向に関して、センサ４３ａ、４３ｂ、４３ｃが配置されている位置を包含するように軸方向に沿って長く延びている。センサ４３ａ、４３ｂ、４３ｃは、接触部６１の中に配置されている。
【００４６】
図３に図示されるように、カバー５３ｄも、ステータ３１が区画形成する隙間３２ｂに挿入可能な棒状である。カバー５３ｄも、その先端に、ステータ３１と接触しない先端部を有している。カバー５３ｄも、周方向に関してステータ３１と対向する２つの側面を有する。カバー５３ｄの側面は、ステータ３１と部分的に接触している。ステータ３１とカバー５３ｄとは、周方向に関して対向し、互いに接触する接触部を有する。さらに、ステータ３１とカバー５３ｄとは、周方向に関して対向するが、互いに接触しない非接触部を有する。
【００４７】
カバー５３ｄにおけるステータ３１と接触する部分、より詳細には、両側の磁極３２ａと接触する部分は、接触部６２と呼ばれる。接触部６２は、幅広部とも呼ばれる。接触部６２は、カバー５３ｄの根元部分に設けられている。接触部６２は、カバー５３ｄの根元部分だけに設けられている。接触部６２の軸方向長さは、接触部６１の軸方向長さと同じである。複数のカバー５３ａ、５３ｂ、５３ｃ、５３ｄが同等の長さの接触部６１、６２を備えることによって、安定的な位置決め、および応力の分散が図られる。
【００４８】
接触部６１、６２は、その両側の側面でステータ３１、特に磁極３２ａと対向し、互いに接触している。接触部６１、６２は、隣接する２つの磁極３２ａの間に掛け渡され得る幅を有する。接触部６１、６２は、隙間３２ｂの軸方向の一部を、周方向に関して覆うことによって閉塞している。接触部６１、６２は、閉塞部とも呼ばれる。接触部６１、６２は、ステータ３１と噛み合うことによってセンサユニット４１を周方向に関して固定するから、噛み合い部とも呼ばれる。接触部６１、６２は、隙間３２ｂの中における、カバー５３ｄの周方向に関する位置を規定するから、周方向の位置決め部とも呼ばれる。接触部６１、６２は、ステータ３１とカバー５３ｄとの間の容易な熱移動を許容する。接触部６１、６２は、高熱伝達部とも呼ばれる。
【００４９】
接触部６２は、軸方向に関して、センサ４３ｄが配置されている位置を包含しないように配置されている。センサ４３ｄは、接触部６２の中に配置されていない。
【００５０】
カバー５３ｄにおけるステータ３１と非接触の部分、より詳細には、両側の磁極３２ａと非接触の部分は、非接触部６３と呼ばれる。非接触部は、ステータ３１から離れて位置づけられる離間部でもある。非接触部６３は、ステータ３１の周方向に関してステータ３１から離れて位置づけられる。非接触部６３は、カバー５３ｄの先端面を含む場合がある。非接触部６３は、先端面以外の部位におけるステータ３１との非接触、典型的には磁極３２ａとの非接触によって特徴付けられる。非接触部６３は、接触部６２よりも先端側の領域に延在している。カバー５３ｄは、他のカバー５３ａ、５３ｂ、５３ｃより所定長さだけ長い。非接触部６３は、この所定長さだけ延在している。非接触部６３は、カバー５３ｄの両側において、接触部６２より細くなるように形成されている。接触部６２と非接触部６３との間には、段差が形成されている。
【００５１】
非接触部６３は、ステータ３１とカバー５３ｄとの間に隙間６４を区画形成する。より具体的には、非接触部６３は、磁極３２ａとカバー５３ｄとの間に隙間６４を区画形成する。隙間６４は、放熱ないし冷却のための空気の通路を提供する。空気は、ステータ３１の径方向および／または軸方向に沿って隙間６４の中に導入される。よって、非接触部６３は、空気通路形成部とも呼ばれる。
【００５２】
ステータ３１とカバー５３ｄとの間の熱移動に関して、非接触部６３における熱移動量は、隙間６４に起因して、接触部６２における熱移動量より少ない。非接触部６３および隙間６４は、低熱伝達部とも呼ばれる。非接触部６３および隙間６４は、ステータ３１とカバー５３ｄとの間の熱移動を抑制する。よって、非接触部６３は、熱移動抑制部とも呼ばれる。非接触部６３および隙間６４は、ステータ３１とカバー５３ｄとの間の熱移動に対して、接触部６２より高い断熱効果を発揮する。よって、非接触部６３および隙間６４は、断熱部とも呼ばれる。隙間６４だけを断熱部と呼んでも良い。隙間６４は、センサ４３ｄに対して周方向に位置している。よって、隙間６４は、周方向隙間とも呼ばれる。
【００５３】
非接触部６３は、軸方向に関して、センサ４３ｄが配置されている位置を包含するように軸方向に沿って長く延びている。センサ４３ｄは非接触部６３の中に配置されている。言い換えると、カバー５３ｄは、離間部を提供する非接触部６３に隣接するようにセンサ４３ｄを収容している。これにより、非接触部６３が提供する断熱部は、ステータ３１からカバー５３ｄを通ってセンサ４３ｄに到達する熱流を抑制する。非接触部６３が提供する隙間６４は、センサ４３ｄの周辺からの放熱を促進する。
【００５４】
図４は、図３に図示された矢印ＩＶにおける矢視図である。図５は、図２および図４に図示されたＶ−Ｖ線における断面図である。図５において、容器５２の形状を示すために、内部の部品は省略されている。カバー５３ａ、５３ｂ、５３ｃ、５３ｄは、容器５２の底の外面から軸方向に延び出している。カバー５３ａ、５３ｂ、５３ｃ、５３ｄは、端部が閉塞した筒である。カバー５３ａ、５３ｂ、５３ｃ、５３ｄは、独立した筒として容器５２から延び出している。
【００５５】
カバー５３ｄと容器５２との間には、リブ５７が設けられている。リブ５７は、複数のカバー５３のうちのカバー５３ｄだけに設けられている。リブ５７は、カバー５３ｄの径方向内側の面と、容器５２の底の外面との間に張り渡されている。リブ５７は、ステータ３１の径方向および軸方向に沿って広がる板状の部材である。リブ５７は、直角三角形の斜辺を提供するように形成されている。リブ５７が提供する斜辺は凹曲線を描いている。リブ５７は、直線の斜辺、または凸曲線の斜辺を描くように形成されてもよい。リブ５７は、長いカバー５３ｄを補強する補強部材である。リブ５７は、ステータ３１とカバー５３ｄとの接触を減らしながら、カバー５３ｄの変形を抑制することを可能とする。リブ５７は、センサ４３を磁極３２ａの間に位置づけ、保持するための保持部材である。リブ５７は、カバー５３ｄとともに保持部材を提供する。リブ５７は、ステータ３１の周方向および軸方向に関してステータ３１から離れて位置づけられる。
【００５６】
リブ５７は、ステータ３１と接触することがないように形成されている。リブ５７は、ステータコイル３３と接触することがないように形成されている。リブ５７とステータ３１との間には、所定の隙間が形成されている。隙間は空気を流すことができる。リブ５７は、ステータ３１に非接触である非接触部を提供する。ステータ３１とリブ５７との接触が回避されることで、ステータ３１とカバー５３ｄとの間における、リブ５７を経由する熱移動が抑制される。
【００５７】
図６は、図３に図示されたＶＩ−ＶＩ線における断面図である。接触部６２とステータ３１との間には、接触構造が提供されている。接触構造は、嵌め合い構造によって提供されている。接触部６２は、カバー５３ｄの径方向への移動を抑制するようにステータ３１と嵌合している。接触構造は、ステータ３１に設けられた接触面６６と、カバー５３ｄに設けられた接触面６７とによって提供されている。
【００５８】
接触面６６はひさし状に突出した凸部である。接触面６６は、ステータコア３２の磁極３２ａによって提供されている。接触面６６はインシュレータ３５によって提供されてもよい。接触面６６は、磁極３２ａの全長にわたって延びている。接触面６６は、第１嵌め合い部を提供する。
【００５９】
接触面６７は溝状に凹んだ凹部である。接触面６７は、接触面６６に対して嵌め合い可能な形状をもつ。接触面６７は、接触部６２の全長にわたって設けられている。接触面６７は、第１嵌め合い部に嵌め合うことができる第２嵌め合い部を提供する。
【００６０】
図７は、図３に図示されたＶＩＩ−ＶＩＩ線における断面図である。非接触部６３とステータ３１との間には、物理的な非接触構造および熱的な分離構造が提供されている。非接触部６３においては、カバー５３ｄは嵌め合いのための段差面を区画形成するための部材を備えない。非接触部６３の側面は、平面６８である。平面６８は、ステータ３１から離れて位置づけられる。カバー５３ｄの両側に平面６８が形成される。非接触部６３におけるカバー５３ｄの周方向の幅Ｗ６３は、接触部６２におけるカバー５３ｄの周方向の幅Ｗ６２より小さい（Ｗ６２＞Ｗ６３）。幅Ｗ６３は、隙間３２ｂの幅より小さい。隙間６４は、非接触部６３とステータ３１との間に区画形成される。隙間６４は、カバー５３ｄの周方向の両側に、空気が径方向に流れることができる空気通路を提供する。
【００６１】
相対的に短いカバー５３ａ、５３ｂ、５３ｃが隙間３２ｂを覆う面積は、相対的に長いカバー５３ｄが隙間３２ｂを覆う面積より小さい。言い換えると、カバー５３ａ、５３ｂ、５３ｃは、放熱ないし冷却のための空気の通路を提供する。また、カバー５３ａ、５３ｂ、５３ｃがステータ３１と接触する面積は小さい。加えて、カバー５３ａ、５３ｂ、５３ｃは、ステータ３１の比較的低温な端部に位置づけられている。よって、カバー５３ａ、５３ｂ、５３ｃに収容されたセンサ４３ａ、４３ｂ、４３ｃの温度が過剰に高くなる可能性は少ない。
【００６２】
この実施形態では、他のカバー５３ａ、５３ｂ、５３ｃより長いカバー５３ｄだけに非接触部６３が設けられる。カバー５３ｄは、他のカバー５３ａ、５３ｂ、５３ｃの接触部６１と同等の接触部６２を有する。しかも、非接触部６３は、カバー５３ｄのうち、他のカバー５３ａ、５３ｂ、５３ｃより長く延び出す部分に設けられる。この結果、複数のカバー５３ａ、５３ｂ、５３ｃ、５３ｄにおける温度差が抑制される。
【００６３】
以上に述べた実施形態によると、ステータ３１とカバー５３ｄとの間の直接的な接触面積が抑制される。さらに、ステータ３１とカバー５３ｄとの間に隙間６４が設けられる。隙間６４は、断熱部などとして機能する。この結果、ステータ３１とカバー５３ｄとの間の熱移動が抑制される。しかも、隙間６４は、放熱のための空気の通路を提供する。この結果、カバー５３ｄ、およびその周辺のステータ３１からの放熱が促進される。
【００６４】
カバー５３ｄに直接的に接触するリブ５７とステータ３１、特にステータコイル３３との間にも隙間が設けられる。このリブ５７の両側の隙間も空気の通路を提供する。この結果、ステータコイル３３からリブ５７およびカバー５３ｄへの熱移動が抑制される。しかも、リブ５７の両側の隙間は放熱を促進する。
【００６５】
ステータ３１の温度は、内燃機関１２からの熱移動によって上昇する場合がある。ステータ３１の温度は、ステータコア３２における鉄損によっても上昇する。ステータ３１の温度は、ステータコイル３３における銅損によっても上昇する。ステータ３１の温度、例えば、ステータコア３２および／またはステータコイル３３の温度がセンサ４３ｄに望ましくない温度に到達することがある。この実施形態によると、ステータ３１の各部の温度上昇に比べて、カバー５３ｄに収容されたセンサ４３ｄの温度上昇を抑制することができる。
【００６６】
センサ４３ｄの温度上昇が抑制されるから、高温に起因するセンサの機能低下を抑制することができる。例えば、出力特性の温度ドリフトを抑制することができる。より具体的には、安定的な回転位置の検出が可能となる。別の観点では、高温に起因するセンサの耐久性低下を抑制することができる。例えば、熱的なサイクルに起因する部品の損傷が抑制される。
【００６７】
（第２実施形態）
この実施形態は、先行する実施形態を基礎的形態とする変形例である。上記実施形態では、カバー５３ｄの周方向両側に隙間６４が形成される。これに代えて、意図的に、または偶発的に、周方向の片側だけに隙間が形成されてもよい。
【００６８】
図８は、図７に対応する断面図である。カバー５３ｄの製造誤差、センサユニット４１の固定位置の誤差、樹脂部品の経年変化などに起因して、カバー５３ｄの非接触部６３が片側だけにおいてステータ３１に接触する場合がある。この場合、隙間２６４は、カバー５３ｄの片側だけに形成される。この場合においても、非接触部６３および隙間２６４は、ステータ３１からカバー５３ｄへの熱移動を抑制する。加えて、隙間２６４は、カバー５３ｄからの放熱を促進する。よって、センサ４３ｄの温度上昇が抑制される。なお、カバー５３ｄの片側だけに隙間２６４が形成されるように、意図的に、カバー５３ｄを図示のように形成してもよい。
【００６９】
（第３実施形態）
この実施形態は、先行する実施形態を基礎的形態とする変形例である。上記実施形態では、ステータ３１と接触部６２との間に形成される接触構造は嵌め合い構造によって提供されている。これに代えて、接触構造は多様な形状によって提供することができる。
【００７０】
図９は、図６に対応する断面図である。この実施形態では、接触面３６６と接触面３６７とによって接触構造が提供されている。ステータ３１に設けられた接触面３６６は、径方向外側に面する段差を提供する。カバー５３ｄに設けられた接触面３６７は、径方向内側に面する段差を提供する。接触面３６６と接触面３６７とは、カバー５３ｄの径方向内側への移動を阻止するように嵌め合い可能である。接触面３６６と接触面３６７とは、径方向の片方（径方向内側）に関してカバー５３ｄとステータ３１とが嵌り合う接触部を提供する。
【００７１】
（第４実施形態）
この実施形態は、先行する実施形態を基礎的形態とする変形例である。図１０は、図６に対応する断面図である。この実施形態では、接触面４６６と接触面４６７とによって接触構造が提供されている。ステータ３１に設けられた接触面４６６は、径方向内側に面する段差を提供する。カバー５３ｄに設けられた接触面４６７は、径方向外側に面する段差を提供する。接触面４６６と接触面４６７とは、カバー５３ｄの径方向外側への移動を阻止するように嵌め合い可能である。接触面４６６と接触面４６７とは、径方向の片方（径方向外側）に関してカバー５３ｄとステータ３１とが嵌り合う接触部を提供する。
【００７２】
（第５実施形態）
この実施形態は、先行する実施形態を基礎的形態とする変形例である。図１１は、図６に対応する断面図である。この実施形態では、接触面５６６と接触面５６７とによって接触構造が提供されている。ステータ３１に設けられた接触面５６６は、周方向に面する平面である。カバー５３ｄに設けられた接触面５６７は、周方向に面する平面である。接触面５６６と接触面５６７とは、カバー５３ｄを拘束しない接触を提供する。
【００７３】
（第６実施形態）
この実施形態は、先行する実施形態を基礎的形態とする変形例である。上記実施形態では、カバー５３ｄだけが非接触部６３を備える。これに代えて、複数のカバー、またはすべてのカバーが非接触部６３を備えてもよい。
【００７４】
図１２は、図３に相当する正面図である。この実施形態では、短いカバー５３ａ、５３ｂ、５３ｃも接触部６６１と非接触部６６８とを有する。非接触部６６８は、センサ４３ａ、４３ｂ、４３ｃの両側に隙間６６９を形成する。この実施形態でも、接触部６６１の軸方向長さと接触部６２の軸方向長さとは等しい。この実施形態によると、すべてのカバー５３ａ、５３ｂ、５３ｃ、５３ｄに、放熱および／または断熱のための隙間６４、６６９が設けられる。よって、センサ４３ａ、４３ｂ、４３ｃ、４３ｄの温度上昇を抑制することができる。
【００７５】
なお、非接触部６３、６６８は、複数のカバー５３のひとつ以上に設けることができる。非接触部６３、６６８は、複数のカバー５３のふたつ以上に設けてもよい。また、非接触部６３、６６８は、回転電機の使用状態において高温になりやすいカバー５３だけに設けてもよい。
【００７６】
（第７実施形態）
この実施形態は、先行する実施形態を基礎的形態とする変形例である。上記実施形態では、カバー５３の基部に接触部６２、６６１を設け、カバー５３の先端部に非接触部６３、６６８を設けた。これに代えて、カバー５３の中間部に非接触部を設けてもよい。
【００７７】
図１３は、複数のカバー５３のうちのひとつを代表的に示している。図中には、カバー５３ｄが図示されている。カバー５３ｄは、基部に設けられた接触部６２と、先端部に設けられた接触部７７１とを有する。カバー５３ｄは、接触部６２と接触部７７１との間に、非接触部７６３を有する。非接触部７６３と磁極３２ａとの間には、隙間６４が区画形成されている。センサ４３ｄは、非接触部７６３の中に配置されている。この実施形態でも、非接触部７６３は、空気通路形成部を提供する。非接触部７６３および隙間６４は、断熱部を提供する。
【００７８】
（第８実施形態）
この実施形態は、先行する実施形態を基礎的形態とする変形例である。上記実施形態では、ステータ３１とカバー５３との間の噛み合いは、接触部６１、６６１、６２と磁極３２ａとの間の噛み合いによって提供されている。これに代えて、ステータ３１とカバー５３との間の噛み合いは、接触部８６２とインシュレータ３５との間の噛み合いによって提供されてもよい。
【００７９】
図１４において、カバー５３ｄは、接触部８６２と、非接触部８６３とを有する。接触部８６２は、カバー５３ｄの基部だけに設けられている。接触部８６２の軸方向長さは、隣接する２つのインシュレータ３５の間、すなわち２つのボビンの鍔の間に到達するが、隣接する２つの磁極３２ａの間には到達しないように設定されている。接触部８６２は、インシュレータ３５の間に位置し、インシュレータ３５と接触する。接触部８６２は、インシュレータ３５と噛み合っている。隣接する２つの磁極３２ａの間には、非接触部８６３だけが配置されている。よって、カバー５３ｄと磁極３２ａとは直接的に接触しない。
【００８０】
この実施形態でも、ステータ３１とカバー５３ｄとの間の噛み合いを提供しながら、ステータ３１とカバー５３ｄとの間に隙間６４が区画形成される。
【００８１】
（第９実施形態）
この実施形態は、先行する実施形態を基礎的形態とする変形例である。上記実施形態では、センサ４３ｄが設置された範囲にわたって延在する長い隙間６４が形成される。これに代えて、複数の隙間を設けてもよい。
【００８２】
図１５において、カバー５３ｄは、複数の非接触部９６３と複数の中間接触部９７２とを有する。ステータ３１と複数の非接触部９６３との間には、複数の隙間９６４が区画形成されている。複数の隙間９６４は、センサ４３ｄが設置された範囲にわたって、分散的に配置されている。この実施形態でも、カバー５３ｄは、離間部を提供する非接触部９６３に隣接するようにセンサ４３ｄを収容している。
【００８３】
（第１０実施形態）
この実施形態は、先行する実施形態を基礎的形態とする変形例である。上記実施形態では、カバー５３に非接触部６３を設けることにより隙間６４が区画形成される。これに代えて、ステータ３１に切欠きを設けることによって隙間を形成してもよい。
【００８４】
図１６において、ステータ３１は、切欠きＡ７３を有する。切欠きＡ７３は、磁極３２ａおよびインシュレータ３５に形成されている。切欠きＡ７３は、ステータ３１の上における部分的な凹部である。切欠きＡ７３は、センサ４３ｄが配置される範囲に設けられている。切欠きＡ７３は、隙間３２ｂをわずかに拡大するように形成されている。切欠きＡ７３は、ステータ３１とカバー５３ｄとの直接的な接触を回避するように形成されている。
【００８５】
カバー５３ｄは、ステータ３１と接触する接触部Ａ６２と、ステータ３１と接触しない非接触部Ａ６３とを有する。接触部Ａ６２と非接触部Ａ６３との周方向の幅は同じである。接触部Ａ６２と非接触部Ａ６３との両方は、幅広部である。切欠きＡ７３により、ステータ３１と非接触部Ａ６３との間には隙間Ａ６４が区画形成される。切欠きＡ７３は、離間部である非接触部Ａ６３に対応する範囲に設けられている。切欠きＡ７３によって区画された隙間Ａ６４は、ステータ３１の径方向に沿って空気が流れる通路を提供する。隙間Ａ６４は、ステータ３１とカバー５３ｄとの間の熱移動を抑制するために貢献する。
【００８６】
（第１１実施形態）
この実施形態は、先行する実施形態を基礎的形態とする変形例である。上記実施形態では、軸方向に関するカバー５３の位置は、センサユニット４１とステータ３１との接触および／またはカバー５３の基部とステータ３１との接触によって規定されている。これに代えて、カバー５３に形成された端面とステータ３１との接触によってカバー５３の軸方向位置が規定されてもよい。
【００８７】
図１７は、ステータ３１とカバー５３とを模式的に示す部分的な正面図である。図中には、複数のカバー５３のうちの代表的なひとつが描かれている。ステータ３１は、磁極３２ａとインシュレータ３５とによって形成された複数の磁極部分Ｂ３１を有する。隣接する２つの磁極部分Ｂ３１の間には、隙間３２ｂが形成されている。
【００８８】
磁極部分Ｂ３１は、カバー５３を受け入れるための隙間を区画形成するために、段付きの側面を有する。磁極部分Ｂ３１の側面は、１段の階段状である。段付きの側面は、軸方向に面する段差面Ｂ７４を提供する。段差面Ｂ７４は、磁極部分Ｂ３１に形成された切欠きによって提供されているとも見ることができる。段差面Ｂ７４は、磁極部分Ｂ３１に形成された周方向凸部によって提供されているとも見ることができる。段差面Ｂ７４は、磁極３２ａおよび／またはインシュレータ３５によって提供することができる。
【００８９】
カバー５３は、段差面Ｂ７４に当接する端面Ｂ７５を有する。端面Ｂ７５は、カバー５３の先端面である。カバー５３は、端面Ｂ７５が段差面Ｂ７４に当接することによって規定の位置に位置付けられる。
【００９０】
この実施形態でも、カバー５３は、接触部６２と非接触部６３とを有する。非接触部６３は、カバー５３と磁極部分Ｂ３１との間に隙間６４を区画形成する。センサ４３は、非接触部６３の中に収容されている。隙間６４は、ステータ３１の径方向に沿って空気が通過することができる貫通穴である。隙間６４は、センサ４３に対して周方向に位置している。よって、隙間６４は、周方向隙間とも呼ばれる。隙間６４は、ステータ３１とカバー５３との間の熱移動を抑制する。隙間６４は、カバー５３およびステータ３１からの放熱に貢献する。
【００９１】
（第１２実施形態）
この実施形態は、先行する実施形態を基礎的形態とする変形例である。図１８において、カバー５３は、先端部に追加的な嵌め合い部Ｃ７６、Ｃ７７を有する。嵌め合い部Ｃ７６、Ｃ７７は、磁極部分Ｂ３１と嵌合することによってカバー５３を周方向および／または径方向に関して保持する。カバー５３は、その先端に板部分Ｃ７６を有する。板部分Ｃ７６は、隣接する２つの磁極部分Ｂ３１の間に配置される。カバー５３は、その先端に板部分Ｃ７７を有する。板部分Ｃ７７は、隣接する２つの磁極部分Ｂ３１の背後に位置づけられる。板部分Ｃ７７は、磁極部分Ｂ３１の背面に接触する。板部分Ｃ７６と板部分Ｃ７７とは、Ｔ字型の断面をなすように配置されている。嵌め合い部Ｃ７６、Ｃ７７は、磁極３２ａおよび／またはインシュレータ３５と嵌合する。嵌め合い部Ｃ７７は、径方向の片方（径方向外側）に関してカバー５３とステータ３１とが嵌り合う接触部を提供する。
【００９２】
（第１３実施形態）
この実施形態は、先行する実施形態を基礎的形態とする変形例である。図１９において、磁極部分Ｂ３１は、追加的な切欠きＤ７３を有する。切欠きＤ７３は、板部分Ｃ７６に隣接するように形成される。切欠きＤ７３は、磁極部分Ｂ３１の側面に追加的な段を提供する。この結果、磁極部分Ｂ３１の側面は、多段の階段状、具体的には２段の階段状である。なお、図示される切欠きＤ７３は、長方形であるが、それ自身が階段状に形成されてもよい。
【００９３】
切欠きＤ７３によって、カバー５３と磁極部分Ｂ３１との間には、追加的な隙間Ｄ７８が区画形成される。隙間Ｄ７８は、端面Ｂ７５と磁極部分Ｂ３１との間、および板部分Ｃ７６と磁極部分Ｂ３１との間に区画形成される。隙間Ｄ７８は、センサ４３に対して軸方向に位置している。隙間Ｄ７８は、軸方向隙間とも呼ばれる。隙間Ｄ７８は、磁極部分Ｂ３１と嵌め合い部Ｃ７６、Ｃ７７との接触面積を減少させるために貢献する。接触面積の減少は、熱移動を抑制する。
【００９４】
隙間Ｄ７８は、径方向外側に向けて開放されている。隙間Ｄ７８は、径方向内側において板部分Ｃ７７によって閉塞されている。よって、隙間Ｄ７８は、径方向に沿って空気を通過させることはないが、隙間Ｄ７８に導入される空気は放熱を促進する。
【００９５】
隙間６４と隙間Ｄ７８とは、周方向および軸方向の両方に関してステータ３１と対向するが非接触の非接触部Ｄ６３を提供する。非接触部Ｄ６３は、ステータ３１の周方向および軸方向の両方に関してステータ３１から離れて位置づけられる離間部を提供する。切欠きＤ７３は、離間部としての非接触部Ｄ６３に対応する範囲に設けられている。カバー５３は、２つの磁極部分Ｂ３１の間においてステータ３１の軸方向に関して磁極部分Ｂ３１と当接する端面Ｂ７５を有する。センサ４３は、非接触部Ｄ６３の中に収容されている。
【００９６】
この実施形態によると、カバー５３を規定の位置に位置づけることができるとともに、隙間６４、Ｄ７８によりセンサ４３の温度上昇が抑制される。さらに、多段の階段状の側面は、センサ４３によって検出される磁束の望ましくない分布および／または望ましくない過渡的変化を抑制する場合がある。多段の階段状の側面は、隙間６４または隙間Ｄ７８を形成しない内燃機関用回転電機にも採用可能である。
【００９７】
（第１４実施形態）
この実施形態は、先行する実施形態を基礎的形態とする変形例である。図２０において、磁極部分Ｂ３１は、段付き側面および段差面Ｂ７４に代えて、傾斜面Ｅ７４を有する。隣接する２つの磁極部分Ｂ３１の間には、隙間３２ｂが区画形成されている。隙間３２ｂは、カバー５３を受け入れるための広い幅の部分と、回転電機として望ましい狭い幅の部分とを有する。傾斜面Ｅ７４は、広い幅の部分と、狭い幅の部分との間に位置している。
【００９８】
傾斜面Ｅ７４は、カバー５３の角部と接触することによってカバー５３の軸方向の位置を規定する。また、傾斜面Ｅ７４は、隙間Ｄ７８を区画形成するための切欠きＥ７３でもある。
【００９９】
図示の例では、傾斜面Ｅ７４は磁極３２ａの形状として提供される。傾斜面Ｅ７４は、磁極３２ａの辺に設けられている。傾斜面Ｅ７４は、複数の電磁鋼板を徐々にずらすことによって形成されてもよい。この場合、傾斜面Ｅ７４は、微小な段付き面である。傾斜面Ｅ７４は、インシュレータ３５によって形成されてもよい。
【０１００】
この実施形態でも、ステータ３１とカバー５３との間の熱移動が抑制される。さらに、傾斜面Ｅ７４は、センサ４３によって検出される磁束の望ましくない分布および／または望ましくない過渡的変化を抑制する場合がある。なお、傾斜面Ｅ７４の軸方向の両端には、段差面Ｂ７４に相当する小さい段差面が設けられてもよい。傾斜面Ｅ７４は、隙間６４または隙間Ｄ７８を形成しない内燃機関用回転電機にも採用可能である。
【０１０１】
（第１５実施形態）
この実施形態は、先行する実施形態を基礎的形態とする変形例である。図２１において、カバー５３は、接触部６２だけを備える。よって、カバー５３は、隙間６４を区画形成しない。センサ４３は、接触部６２の中に収容されている。ステータ３１とカバー５３とは、切欠きＤ７３によって軸方向に位置する隙間Ｄ７８だけを区画形成する。隙間Ｄ７８は、軸方向に関してステータ３１と対向するが、ステータ３１と非接触の非接触部Ｆ６３を提供する。非接触部Ｆ６３は、ステータ３１の軸方向に関してステータ３１から離れて位置づけられる離間部を提供する。センサ４３は、非接触部Ｆ６３の近傍に収容されている。この構成でも、ステータ３１とカバー５３との間の熱移動が抑制され、放熱が促進される。しかも、切欠きＤ７３によって、磁束の望ましくない分布および／または望ましくない過渡的な変化が抑制される。
【０１０２】
（第１６実施形態）
この実施形態は、先行する実施形態を基礎的形態とする変形例である。図２２において、カバー５３は、嵌め合い部Ｃ７７を備えない。カバー５３は、嵌め合い部Ｃ７６だけを備える。切欠きＤ７３が提供する隙間Ｇ７８は、ステータ３１の径方向に貫通した隙間である。隙間Ｇ７８は、空気の通路を提供する。この実施形態によると、嵌め合い部Ｃ７７を経由する熱移動がなくなる。この結果、ステータ３１とカバー５３との間の熱移動が抑制される。なお、嵌め合い部Ｃ７７に代えて、嵌め合い部Ｃ７６をなくしてもよい。この構成では、嵌め合い部Ｃ７６を経由する熱移動がなくなる。また、隙間Ｇ７８が拡大されるから放熱効果を向上させることができる。
【０１０３】
（他の実施形態）
この明細書の開示は、例示された実施形態に制限されない。開示は、例示された実施形態と、それらに基づく当業者による変形態様を包含する。例えば、開示は、実施形態において示された部品および／または要素の組み合わせに限定されない。開示は、多様な組み合わせによって実施可能である。開示は、実施形態に追加可能な追加的な部分をもつことができる。開示は、実施形態の部品および／または要素が省略されたものを包含する。開示は、ひとつの実施形態と他の実施形態との間における部品および／または要素の置き換え、または組み合わせを包含する。開示される技術的範囲は、実施形態の記載に限定されない。開示されるいくつかの技術的範囲は、請求の範囲の記載によって示され、さらに請求の範囲の記載と均等の意味及び範囲内での全ての変更を含むものと解されるべきである。
【０１０４】
上記実施形態では、ステータ３１とカバー５３との間に隙間を区画形成している。隙間は、空気断熱層を提供する。これに代えて、隙間に多孔質部材などの熱伝達率が低い断熱部材を設けてもよい。断熱部材は、カバー５３およびインシュレータ３５を形成する樹脂材料よりも熱伝達率が低い部材で形成されることが望ましい。
【０１０５】
リブ５７は、すべての実施形態におけるひとつ以上の任意のカバー５３に付加的に設けられてもよい。例えば、リブ５７はすべてのカバー５３に設けられてもよい。
【符号の説明】
【０１０６】
１０  内燃機関用回転電機、１１  電気回路、１１ａ  配線、
１１ｂ  電力線、１２  内燃機関、  １３  ボディ、
１４  回転軸、２１  ロータ、２２  ロータコア、
２３  永久磁石、２４  保持カップ、３１  ステータ、
３２  ステータコア、３２ａ  磁極、３２ｂ  隙間、
３２ｃ、３２ｄ  貫通穴、３３  ステータコイル、
３５  インシュレータ、
４１  センサユニット、４２  電気回路部品、
４３  回転位置センサ、２５、３４、４４  固定ボルト、
５１  ケース、５２  容器、
５３、５３ａ、５３ｂ、５３ｃ、５３ｄ  カバー、
５４  締付部、５５  連結部、５６  封止樹脂、５７  リブ、
６１  接触部、６２、６６１、８６２、Ａ６２  接触部、
６３、６６８、７６３、８６３、９６３、Ａ６３  非接触部（離間部）、
Ｄ６３  非接触部（離間部）、  Ｆ６３  非接触部（離間部）、
６４、２６４、６６９、９６４  隙間、Ａ６４  隙間、
６６、６７、３６６、３６７  接触面、
４６６、４６７、５６６、５６７  接触面、
６８  平面、７７１  接触部、９７２  中間接触部、
Ａ７３  切欠き、Ｄ７３、Ｅ７３  切欠き、
Ｂ３１  磁極部分、Ｂ７４  段差面、Ｅ７４  傾斜面、Ｂ７５  端面、
Ｃ７６、Ｃ７７  板部分、Ｄ７８、Ｇ７８  隙間。
【図１】
2016181659.tif 000003
【図２】
2016181659.tif 000004
【図３】
2016181659.tif 000005
【図４】
2016181659.tif 000006
【図５】
2016181659.tif 000007
【図６】
2016181659.tif 000008
【図７】
2016181659.tif 000009
【図８】
2016181659.tif 000010
【図９】
2016181659.tif 000011
【図１０】
2016181659.tif 000012
【図１１】
2016181659.tif 000013
【図１２】
2016181659.tif 000014
【図１３】
2016181659.tif 000015
【図１４】
2016181659.tif 000016
【図１５】
2016181659.tif 000017
【図１６】
2016181659.tif 000018
【図１７】
2016181659.tif 000019
【図１８】
2016181659.tif 000020
【図１９】
2016181659.tif 000021
【図２０】
2016181659.tif 000022
【図２１】
2016181659.tif 000023
【図２２】
2016181659.tif 000024
【国際調査報告】
2016181659.tif 000025
2016181659.tif 000026